(57)【特許請求の範囲】
【請求項１】
絞りとアポダイゼーションフィルタ両方が光路上に配置された第１レンズ鏡筒と、絞りとアポダイゼーションフィルタのうち絞りが光路上に配置された第２レンズ鏡筒とが取り付け可能なレンズ鏡筒取付部と、
前記レンズ鏡筒取付部に、前記第１レンズ鏡筒及び前記第２レンズ鏡筒のうちいずれが取り付けられているかを判定する鏡筒判定部と、
前記第１レンズ鏡筒及び前記第２レンズ鏡筒の前記絞りを制御する制御部であり、前記鏡筒判定部により前記第１レンズ鏡筒が取り付けられていると判定された場合に、前記第１レンズ鏡筒の前記絞りの開放開口径を第１の値とし、前記鏡筒判定部により前記第２レンズ鏡筒が取り付けられていると判定された場合に、前記第２レンズ鏡筒の前記絞りの開放開口径を、前記第１の値より小さい第２の値とする制御部と、
を備える撮影装置本体。
【請求項２】
前記第１レンズ鏡筒及び前記第２レンズ鏡筒は、前記アポダイゼーションフィルタの有無を識別するための識別情報を有しており、
前記鏡筒判定部は、前記レンズ鏡筒取付部に取り付けられた前記第１レンズ鏡筒または前記第２レンズ鏡筒から前記識別情報を取得することにより、前記第１レンズ鏡筒及び前記第２レンズ鏡筒のうちいずれが取り付けられているかを判定する請求項１に記載の撮影装置本体。
【請求項３】
光路上に配置された絞りと、
前記光路上に挿脱されるアポダイゼーションフィルタと、
前記絞りを制御する制御部であり、前記アポダイゼーションフィルタが前記光路上に挿入される場合に、前記絞りの開放開口径を第１の値とし、前記アポダイゼーションフィルタが前記光路上から離脱される場合に、前記絞りの開放開口径を前記第１の値より小さい第２の値とする制御部と、
を備える撮影装置。
【請求項４】
光路上にアポダイゼーションフィルタを取り付けるためのアポダイゼーションフィルタ取付部と、
前記光路上に配置された絞りであり、前記アポダイゼーションフィルタ取付部に前記アポダイゼーションフィルタが取り付けられている場合に、開放開口径が第１の値とされ、前記アポダイゼーションフィルタ取付部に前記アポダイゼーションフィルタが取り付けられていない場合に、開放開口径が前記第１の値より小さい第２の値とされる絞りと、
を備えるレンズ鏡筒。
【請求項５】
絞りとアポダイゼーションフィルタ両方が光路上に配置された第１レンズ鏡筒と、絞りとアポダイゼーションフィルタのうち絞りが光路上に配置された第２レンズ鏡筒とが取り付け可能な撮影装置本体の制御方法において、
前記第１レンズ鏡筒が取り付けられている場合に、前記第１レンズ鏡筒の前記絞りの開放開口径を第１の値とし、前記第２レンズ鏡筒が取り付けられている場合に、前記第２レンズ鏡筒の前記絞りの開放開口径を、前記第１の値より小さい第２の値とする撮影装置本体の制御方法。
【発明の詳細な説明】
【技術分野】
【０００１】
本発明は、アポダイゼーションフィルタを有する撮影装置、レンズ鏡筒、撮影装置本体及びその制御方法に関するものである。
【背景技術】
【０００２】
アポダイゼーションフィルタ（以下、ＡＰＤフィルタと称する）を有する撮影装置が知られている（特許文献１参照）。このＡＰＤフィルタは、光軸に沿ってレンズや絞りとともに配置される。ＡＰＤフィルタは、主要被写体の背景に存在するアウトフォーカスの被写体像（ボケ像）の輪郭にグラデーションを与えるものであり、美しいボケ味を実現する。ＡＰＤフィルタは、光軸から離れるにつれて光透過率が低下するという光学特性を有している。ＡＰＤフィルタは、入射光の光束の周辺光量を低下させることで、ボケ像の輪郭にグラデーションを与える。
【０００３】
ＡＰＤフィルタは、主要被写体の背景にボケ像が生じた状況下で効果が発揮するものであるため、ボケ像を生じさせるために、被写界深度を浅くする必要がある。被写界深度を浅くするためには、絞りの開口径を大きくし、可能な限り絞り値を開放絞り値に設定する必要がある。また、このＡＰＤフィルタの効果は、絞りを絞ると急激に減衰するので、この観点からも可能な限り開放絞り値に設定する必要がある。
【先行技術文献】
【特許文献】
【０００４】
【特許文献１】特開２００５−６２７３３号公報
【発明の概要】
【発明が解決しようとする課題】
【０００５】
一般的に、レンズは、光軸から離れた周辺部において大きな球面収差が生じる。このため、開放絞り値に対応する絞りの開放開口径は、大きな球面収差が生じるレンズの周辺部の通過光を遮蔽するように、機械的に開くことが可能な最大開口径よりもやや小さい値に制限されている。
【０００６】
ＡＰＤフィルタを備える撮影装置においても絞りの開放開口径は、ＡＰＤフィルタを備えない場合と同一の値に設定されている。ＡＰＤフィルタは、入射光の周辺部を減光させるため、ＡＰＤフィルタを介して得られる画像中のボケ像は、その大きさが、ＡＰＤフィルタを介さない場合よりも縮小したように観察される。このため、ユーザに、ＡＰＤフィルタの有無によりボケ像の大きさが変化するといった印象を与えてしまう。
【０００７】
本発明は、ＡＰＤフィルタの有無によるボケ像の大きさの変化を軽減することを可能とする撮影装置、レンズ鏡筒、撮影装置本体及びその制御方法を提供することを目的とする。
【課題を解決するための手段】
【０００８】
本発明の撮影装置本体は、絞りとアポダイゼーションフィルタ両方が光路上に配置された第１レンズ鏡筒と、絞りとアポダイゼーションフィルタのうち絞りが光路上に配置された第２レンズ鏡筒とが取り付け可能なレンズ鏡筒取付部と、レンズ鏡筒取付部に、第１レンズ鏡筒及び第２レンズ鏡筒のうちいずれが取り付けられているかを判定する鏡筒判定部と、第１レンズ鏡筒及び第２レンズ鏡筒の絞りを制御する制御部であり、鏡筒判定部により第１レンズ鏡筒が取り付けられていると判定された場合に、第１レンズ鏡筒の絞りの開放開口径を第１の値とし、鏡筒判定部により第２レンズ鏡筒が取り付けられていると判定された場合に、第２レンズ鏡筒の絞りの開放開口径を、第１の値より小さい第２の値とする制御部とを備える。
【０００９】
第１レンズ鏡筒及び第２レンズ鏡筒は、アポダイゼーションフィルタの有無を識別するための識別情報を有しており、鏡筒判定部は、レンズ鏡筒取付部に取り付けられた第１レンズ鏡筒または第２レンズ鏡筒から識別情報を取得することにより、第１レンズ鏡筒及び第２レンズ鏡筒のうちいずれが取り付けられているかを判定することが好ましい。
【００１０】
本発明の撮影装置は、光路上に配置された絞りと、光路上に挿脱されるアポダイゼーションフィルタと、絞りを制御する制御部であり、アポダイゼーションフィルタが光路上に挿入される場合に、絞りの開放開口径を第１の値とし、アポダイゼーションフィルタが光路上から離脱される場合に、絞りの開放開口径を第１の値より小さい第２の値とする制御部とを備える。
【００１１】
本発明のレンズ鏡筒は、光路上にアポダイゼーションフィルタを取り付けるためのアポダイゼーションフィルタ取付部と、光路上に配置された絞りであり、アポダイゼーションフィルタ取付部にアポダイゼーションフィルタが取り付けられている場合に、開放開口径が第１の値とされ、アポダイゼーションフィルタ取付部にアポダイゼーションフィルタが取り付けられていない場合に、開放開口径が第１の値より小さい第２の値とされる絞りとを備える。
【００１２】
本発明の撮影装置本体の制御方法は、絞りとアポダイゼーションフィルタ両方が光路上に配置された第１レンズ鏡筒と、絞りとアポダイゼーションフィルタのうち絞りが光路上に配置された第２レンズ鏡筒とが取り付け可能な撮影装置本体の制御方法において、第１レンズ鏡筒が取り付けられている場合に、第１レンズ鏡筒の絞りの開放開口径を第１の値とし、第２レンズ鏡筒が取り付けられている場合に、第２レンズ鏡筒の絞りの開放開口径を、第１の値より小さい第２の値とする。
【発明の効果】
【００１３】
本発明によれば、ＡＰＤフィルタが存在する場合に絞りの開放開口径を第１の値とし、ＡＰＤフィルタが存在しない場合に絞りの開放開口径を、第１の値より小さい第２の値とするので、ＡＰＤフィルタの有無によるボケ像の大きさの変化を軽減することができる。
【図面の簡単な説明】
【００１４】
【図１】撮影装置の外観斜視図である。
【図２】撮影装置の構成を示すブロック図である。
【図３】絞りの構成を示す図である。
【図４】ＡＰＤフィルタの光学特性を示すグラフである。
【図５】第１及び第２レンズ鏡筒の絞りに設定される開放開口径を説明する図である。
【図６】第１及び第２の値の決定方法を説明する図である。
【図７】第１及び第２プログラム線図を示す図である。
【図８】第２実施形態の撮影装置の構成を示すブロック図である。
【発明を実施するための形態】
【００１５】
［第１実施形態］
図１及び図２において、撮影装置１０は、レンズ交換式のデジタルカメラであり、第１レンズ鏡筒１１または第２レンズ鏡筒１２が着脱可能に取り付けられる撮影装置本体１３を備える。第１レンズ鏡筒１１には、アポダイゼーションフィルタ（以下、ＡＰＤフィルタと称する）２３が設けられている。第２レンズ鏡筒１２には、ＡＰＤフィルタ２３は設けられていない。第１レンズ鏡筒１１は、アポダイゼーション効果が得られるレンズ鏡筒である。
【００１６】
第１レンズ鏡筒１１の外周には、マニュアル露出（ＭＥ：Manual Exposure）モード時に絞りの手動調整を可能とする絞りリング１１Ａが設けられている。同様に、第２レンズ鏡筒１２の外周には、絞りリング１２Ａが設けられている。
【００１７】
撮影装置本体１３には、操作部１４が設けられている。操作部１４には、電源ボタン１４Ａ、シャッタボタン１４Ｂ、モード切替ダイヤル１４Ｃ等が含まれている。電源ボタン１４Ａは、撮影装置１０の電源をオンまたはオフする際に操作される。
【００１８】
シャッタボタン１４Ｂは、いわゆる「半押し」と「全押し」とを可能とする２段ストローク式のスイッチである。シャッタボタン１４Ｂは、半押しされることによってＳ１オン信号を出力し、半押しから更に押し込む全押しが行われることによってＳ２オン信号を出力する。撮影装置１０は、シャッタボタン１４ＢからＳ１オン信号が出力されると自動焦点（ＡＦ：Auto Focus）調整や自動露出（ＡＥ：Auto Exposure）調整などの撮影準備処理を実行し、Ｓ２オン信号が出力されると撮影処理を実行する。
【００１９】
モード切替ダイヤル１４Ｃは、動作モードを切り替える。動作モードには、静止画撮影モード及び再生モードがある。静止画撮影モードでは、まず、表示部３６にライブビュー表示が行われる。そして、このライブビュー表示中にシャッタボタン１４Ｂが半押しされ、さらに全押しされることによって、静止画撮影が行われる。再生モードでは、後述するメモリ３７に記憶された静止画像が表示部３６に再生表示される。ライブビュー表示では、画像を記録せずに、リアルタイムに表示部３６への画像表示のみが行われる。
【００２０】
図２において、撮影装置本体１３には、レンズ鏡筒取付部１３Ａが設けられている。レンズ鏡筒取付部１３Ａには、第１レンズ鏡筒１１の基端部１１Ｂまたは第２レンズ鏡筒１２の基端部１２Ｂが着脱可能に取り付けられる。レンズ鏡筒取付部１３Ａには、電気接点１５が設けられている。基端部１１Ｂ，１２Ｂには、電気接点１５に対応する位置にそれぞれ電気接点１６が設けられている。レンズ鏡筒取付部１３Ａと、第１レンズ鏡筒１１または第２レンズ鏡筒１２とは、電気接点１５，１６を介して電気的に接続される。
【００２１】
第１レンズ鏡筒１１には、被写体側から光軸ＬＡに沿って、第１レンズ群２０と、絞り２１と、第２レンズ群２２とが配置されている。絞り２１は、入射光の光量を調整する。絞り２１は、図３に示すように、複数枚の絞り羽根２１Ｂにより構成されており、これらの絞り羽根２１Ｂにより円形の開口２１Ｃが形成される。絞り羽根２１Ｂは、モータ２１Ａにより駆動されることにより、開口２１Ｃの直径である開口径Ｄが変化する。開口径Ｄの大きさに応じて、後述する撮像素子３２への入射光量が変化する。
【００２２】
絞り２１と第２レンズ群２２との間の光路上には、ＡＰＤフィルタ２３が配置されている。すなわち、第１レンズ鏡筒１１には、絞り２１とＡＰＤフィルタ２３との両方が光路上に配置されている。ＡＰＤフィルタ２３は、第２レンズ群２２を保持する保持枠２２Ａの被写体側に取り付けられている。保持枠２２Ａは、ＡＰＤフィルタ取付部に対応する。
【００２３】
ＡＰＤフィルタ２３は、図４に示すように、光軸ＬＡからの距離が大きくなるにつれて光透過率が低下するという光学特性を有する。ＡＰＤフィルタ２３は、入射光の光束の周辺光量を低下させることにより、アウトフォーカスにより生じるボケ像の輪郭にグラデーションを与える。
【００２４】
第１レンズ鏡筒１１には、鏡筒制御部２４が設けられている。鏡筒制御部２４には、絞りリング１１Ａから、絞りリング１１Ａの回転位置の検出信号（絞り設定情報）が入力される。鏡筒制御部２４は、マニュアル露出モード時には、絞りリング１１Ａから入力される検出信号に基づいてモータ２１を駆動し、絞り２１の開口径Ｄを設定する。また、鏡筒制御部２４は、電気接点１６を介して撮影装置本体１３と信号の出入力を行う。
【００２５】
また、第１レンズ鏡筒１１には、識別情報（ＩＤ：Identification Data）記憶部２５が設けられている。このＩＤ記憶部２５には、第１レンズ鏡筒１１の識別情報が記憶されている。この識別情報は、第１レンズ鏡筒１１がＡＰＤフィルタ２３を有しているという情報が含んでいる。この識別情報は、鏡筒制御部２４を介して撮影装置本体１３に入力される。
【００２６】
第２レンズ鏡筒１２は、被写体側から光軸ＬＡに沿って、第１レンズ群２０と、絞り２１と、第２レンズ群２２とが配置されているが、光路上には、ＡＰＤフィルタ２３は配置されていない。すなわち、第２レンズ鏡筒１２には、絞り２１とＡＰＤフィルタ２３とのうちの絞り２１が光路上に配置されている。第２レンズ鏡筒１２には、鏡筒制御部２４及びＩＤ記憶部２５が設けられている。このＩＤ記憶部２５は、第２レンズ鏡筒１２の識別情報が記憶されている。この識別情報は、第２レンズ鏡筒１２がＡＰＤフィルタ２３を有していないという情報を含んでいる。第２レンズ鏡筒１２のその他の構成は、第１レンズ鏡筒１１と同様である。
【００２７】
撮影装置本体１３には、主制御部３０と、メカシャッタ３１と、撮像素子３２と、画像処理部３３と、ＡＦ検出部３４と、ＡＥ検出部３５と、表示部３６と、メモリ３７とが設けられている。主制御部３０は、撮影装置本体１３内の各部と、撮影装置本体１３に取り付けられた第１レンズ鏡筒１１または第２レンズ鏡筒１２とを統括的に制御する。
【００２８】
メカシャッタ３１は、例えばフォーカルプレーンシャッタであり、レンズ鏡筒取付部１３Ａと撮像素子３２との間の光路上に配置されている。メカシャッタ３１は、主制御部３０の制御に基づいてモータ３１Ａが駆動されることにより、シャッタの開閉動作が行われる。
【００２９】
撮像素子３２は、光路上に配置されており、メカシャッタ３１を介して入射する入射光を撮像（光電変換）して撮像信号を出力する。撮像素子３２から出力された撮像信号を、主制御部３０を介して画像処理部３３に入力される。撮像素子３２は、例えばＣＭＯＳ（Complementary Metal Oxide Semiconductor）型センサであり、電子シャッタ機能を有する。電子シャッタの速度は、主制御部３０により制御される。
【００３０】
主制御部３０は、ＣＰＵ（Central Processing Unit）、このＣＰＵで使用されるプログラムやパラメータを記憶したＲＯＭ（Read-Only Memory）、ＣＰＵのワークメモリとして使用されるＲＡＭ（Random-Access Memory）など（いずれも図示せず）により構成されている。主制御部３０は、操作部１４から入力される操作信号に基づいて、撮影装置１０を統括的に制御する。例えば、主制御部３０は、シャッタボタン１４Ｂから、Ｓ１オン信号及びＳ２オン信号を受信して、各部に撮影準備動作及び撮影動作を実行させる。
【００３１】
画像処理部３３は、撮影動作時に作動し、撮像素子３２から入力される撮像信号に基づいて画像データを生成する。画像処理部３３は、生成した画像データをメモリ３７に記録する。メモリ３７は、フラッシュメモリ等の不揮発メモリである。表示部３６は、液晶ディスプレイ等であり、メモリ３７に記録された画像データに基づいて画像表示を行う。
【００３２】
ＡＦ検出部３４は、撮影準備動作時に作動し、撮像素子３２から入力される撮像信号に基づいてフォーカスレンズの合焦位置を検出する。このフォーカスレンズは、例えば、第１レンズ群２０のうちの一部のレンズである。ＡＦ検出部３４は、例えば、コントラストＡＦ方式により合焦位置を検出する。このコントラストＡＦ方式では、フォーカスレンズの移動機構（図示せず）によりフォーカスレンズを移動させながら撮像素子３２により撮像を行い、画像のコントラスト（高周波成分）が最も高くなるフォーカスレンズの位置を合焦位置として検出する。主制御部３０は、移動機構を制御し、ＡＦ検出部３４により検出された合焦位置にフォーカスレンズの位置を設定する。
【００３３】
ＡＥ検出部３５は、撮影準備動作時に作動し、撮像素子３２から入力される撮像信号に基づいて、撮影に最適なシャッタ速度及び絞り値（以下、撮影シャッタ速度及び撮影絞り値という）を検出する。具体的には、ＡＥ検出部３５は、撮像信号に基づいて被写体輝度の測光を行い、この測光値に基づいて撮影露出値を求める。そして、ＡＥ検出部３５は、プログラム線図に基づいて、撮影露出値に対応する撮影シャッタ速度及び撮影絞り値を求める。
【００３４】
主制御部３０は、ＡＥ検出部３５により求められた撮影シャッタ速度及び撮影絞り値を用いて各部に撮影動作を実行させる。具体的には、主制御部３０は、メカシャッタ３１または撮像素子３２の電子シャッタ機能を制御して、シャッタ速度を撮影シャッタ速度に設定する。また、主制御部３０は、レンズ鏡筒取付部１３Ａに取り付けられた第１レンズ鏡筒１１または第２レンズ鏡筒１２の鏡筒制御部２４を制御することにより、絞り２１の絞り値を撮影絞り値に設定する。すなわち、絞り２１の開口径Ｄを撮影絞り値に対応する径とする。
【００３５】
また、主制御部３０には、鏡筒判定部３８が構成されている。この鏡筒判定部３８は、レンズ鏡筒取付部１３Ａに第１レンズ鏡筒１１または第２レンズ鏡筒１２が取り付けられた際に、鏡筒制御部２４を介して、ＩＤ記憶部２５から識別情報を取得する。鏡筒判定部３８は、受信した識別情報に基づいて、レンズ鏡筒取付部１３Ａに取り付けられているレンズ鏡筒の種類（第１レンズ鏡筒１１と第２レンズ鏡筒１２とのいずれであるか）を判定する。
【００３６】
主制御部３０は、レンズ鏡筒取付部１３Ａに取り付けられているレンズ鏡筒の種類に応じて、絞り２１を開放とした際の開口径である開放開口径を設定する。具体的には、主制御部３０は、図５（Ａ）に示すように、レンズ鏡筒取付部１３Ａに第１レンズ鏡筒１１が取り付けられている場合には、開放開口径を第１の値ＤＭ１に設定する。また、主制御部３０は、図５（Ｂ）に示すように、レンズ鏡筒取付部１３Ａに第２レンズ鏡筒１２が取り付けられている場合には、開放開口径を第２の値ＤＭ２に設定する。ここで、ＤＭ１＞ＤＭ２の関係を満たしている。
【００３７】
また、第１レンズ鏡筒１１と第２レンズ鏡筒１２とは同一の絞り２１を有しているので、機械的に開くことが可能な最大開口径ＤＣは同一である。本実施形態では、第１の値ＤＭ１を最大開口径ＤＣより小さい値（ＤＭ１＜ＤＣ）に設定しているが、第１の値ＤＭ１を最大開口径ＤＣと同一（ＤＭ１＝ＤＣ）としても良い。
【００３８】
第１の値ＤＭ１及び第２の値ＤＭ２は、絞り２１を開放とした場合に、ＡＰＤフィルタ２３を有する第１レンズ鏡筒１１により生じるボケ像の実質的な大きさが、ＡＰＤフィルタ２３を有しない第２レンズ鏡筒１２により生じるボケ像の大きさとほぼ同一となるように、ＡＰＤフィルタ２３の光学特性に基づいて決定されている。
【００３９】
具体的には、図６（Ａ）に示すように、第１レンズ鏡筒１１により生じるボケ像ＢＫ１は、ＡＰＤフィルタ２３により周辺光量が減光されることにより、実質的な大きさが縮小する。第１レンズ鏡筒１１の絞り２１の開放開口径が第１の値ＤＭ１と設定されている場合のボケ像ＢＫ１の実質的な大きさを「Ｓ」とする。第２の値ＤＭ２は、図６（Ｂ）に示すように、第２レンズ鏡筒１２により生じるボケ像ＢＫ２の大きさがほぼ「Ｓ」となるように決定されている。
【００４０】
これにより、レンズ鏡筒取付部１３Ａに第１レンズ鏡筒１１が取り付けられている場合には、絞り２１の開放開口径が第１の値ＤＭ１に制限され、絞りリング１１Ａが操作された場合の設定可能な最大開口径は、第１の値ＤＭ１となる。一方、レンズ鏡筒取付部１３Ａに第２レンズ鏡筒１２が取り付けられている場合には、絞り２１の開放開口径が第２の値ＤＭ２に制限され、絞りリング１２Ａが操作された場合の設定可能な最大開口径は第２の値ＤＭ２となる。
【００４１】
また、第２の値ＤＭ２は、第１レンズ群２０の周辺部を通過する光線を、絞り２１が遮蔽する値に設定されている。これは、第１レンズ群２０の周辺部で大きな球面収差が生じ易いためである。これに対して、第１の値ＤＭ１は、第２の値ＤＭ２より大きく設定されており、球面収差に係る光線を通過させる。しかし、この球面収差に係る光線は、ＡＰＤフィルタ２３の周辺部で大きく減光されるため、球面収差は殆ど問題とはならない。
【００４２】
以上のように、レンズ鏡筒取付部１３Ａに取り付けられているレンズ鏡筒の種類に応じて、絞り２１の開放開口径が変化するので、ＡＥ検出部３５は、鏡筒判定部３８により判定されるレンズ鏡筒の種類に応じて異なるプログラム線図を用いて、撮影シャッタ速度及び撮影絞り値を決定する。具体的には、ＡＥ検出部３５は、レンズ鏡筒取付部１３Ａに第１レンズ鏡筒１１が取り付けられている場合には、図７（Ａ）に示す第１プログラム線図Ｐ１を用い、レンズ鏡筒取付部１３Ａに第２レンズ鏡筒１２が取り付けられている場合には、図７（Ｂ）に示す第２プログラム線図Ｐ２を用いる。
【００４３】
第１及び第２プログラム線図Ｐ１，Ｐ２は、絞り値ＡＶとシャッタ速度ＴＶとをパラメータとして表されている。第１プログラム線図Ｐ１における開放絞り値ＡＶＭ１は、第１の値ＤＭ１に対応する絞り値である。第２プログラム線図Ｐ２における開放絞り値ＡＶＭ２は、第２の値ＤＭ２に対応する絞り値である。これにより、ＡＥ検出部３５により決定される撮影絞り値は、レンズ鏡筒の種類に応じて、開放絞り値が「ＡＶＭ１」または「ＡＶＭ２」に制限される。
【００４４】
次に、以上のように構成された撮影装置１０の作用を説明する。まず、撮影装置本体１３のレンズ鏡筒取付部１３Ａに第１レンズ鏡筒１１または第２レンズ鏡筒１２が取り付けられ、電源ボタン１４Ａの操作により電源がオンとされると、ＩＤ記憶部２５に記憶された識別情報が鏡筒制御部２４を介して撮影装置本体１３に入力される。撮影装置本体１３では、鏡筒判定部３８により、入力された識別情報に基づいて、レンズ鏡筒取付部１３Ａに第１レンズ鏡筒１１と第２レンズ鏡筒１２とのいずれが取り付けられているかが判定される。
【００４５】
鏡筒判定部３８による判定結果に基づいて、主制御部３０により、鏡筒制御部２４を介して絞り２１の開放開口径が設定される。レンズ鏡筒取付部１３Ａに第１レンズ鏡筒１１が取り付けられている場合には、開放開口径が第１の値ＤＭ１に設定され、レンズ鏡筒取付部１３Ａに第２レンズ鏡筒１２が取り付けられている場合には、開放開口径が第２の値ＤＭ２に設定される。ここで、ＤＭ１＞ＤＭ２である。
【００４６】
この後、ユーザが、ＭＥモードで撮影絞り値及び撮影シャッタ速度の設定を行う場合、第１レンズ鏡筒１１では、絞りリング１１Ａの操作による設定可能な絞り２１の最大開口径は、第１の値ＤＭ１に制限される。また、第２レンズ鏡筒１２では、絞りリング１２Ａの操作による設定可能な絞り２１の最大開口径は、第２の値ＤＭ２に制限される。
【００４７】
また、ユーザが、ＡＥモードで撮影絞り値及び撮影シャッタ速度の設定を行う場合、第１レンズ鏡筒１１では、主制御部３０により設定される絞り２１の最大開口径は、第１の値ＤＭ１に制限される。また、第２レンズ鏡筒１２では、主制御部３０により設定される絞り２１の最大開口径は、第２の値ＤＭ２に制限される。また、これと共に、ＡＥ検出部３５により決定される撮影絞り値は、第１レンズ鏡筒１１の場合には、開放絞り値が「ＡＶＭ１」に制限され、第２レンズ鏡筒１２の場合には、開放絞り値が「ＡＶＭ２」に制限される。
【００４８】
以上のように、ＡＰＤフィルタ２３を有する第１レンズ鏡筒１１と、ＡＰＤフィルタ２３を有しない第２レンズ鏡筒１２とで開放絞り口径（開放絞り値）が変更されるので、ＡＰＤフィルタ２３の有無によるボケ像の大きさの変化が軽減される。
【００４９】
なお、上記実施形態では、撮影装置本体１３の主制御部３０に構成された鏡筒判定部３８がレンズ鏡筒の種類を判定し、主制御部３０が開放絞り口径（開放絞り値）の制限を行っているが、第１レンズ鏡筒１１及び第２レンズ鏡筒１２内の鏡筒制御部２４がレンズ鏡筒の種類を判定し、開放絞り口径の制限を行っても良い。すなわち、第１レンズ鏡筒１１及び第２レンズ鏡筒１２のそれぞれが、自身のＡＰＤフィルタ２３の有無情報に基づき、開放絞り口径の制限を行っても良い。
【００５０】
［第２実施形態］
第１実施形態では、レンズ鏡筒が撮影装置本体１３に着脱可能な撮影装置１０を例として本発明を説明しているが、第２実施形態では、レンズ鏡筒と撮影装置本体とが一体化された一体型の撮影装置について説明する。
【００５１】
図８において、一体型の撮影装置４０には、ＡＰＤフィルタ２３が光路上に挿脱自在に設けられている。ＡＰＤフィルタ２３は、主制御部３０により制御されるモータ２３Ａによって、光路上に挿脱された挿入位置（図中の実線）と、光路上から離脱された離脱位置（図中の破線）との間で移動される。
【００５２】
主制御部３０は、操作部１４から入力される操作信号に基づいて、ＡＰＤフィルタ２３を光路上に挿脱させる。そして、主制御部３０は、ＡＰＤフィルタ２３を光路上に挿入する場合には、絞り２１の開放開口径を第１の値ＤＭ１とし、ＡＰＤフィルタ２３を光路上から離脱させる場合には、絞り２１の開放開口径を第２の値ＤＭ２とする。
【００５３】
また、ＡＥ検出部３５により決定される撮影絞り値は、ＡＰＤフィルタ２３を光路上に挿入されている場合には、開放絞り値が「ＡＶＭ１」に制限され、ＡＰＤフィルタ２３が光路上から離脱されている場合には、開放絞り値が「ＡＶＭ２」に制限される。
【００５４】
第２実施形態の撮影装置４０のその他の構成は、第１実施形態の撮影装置１０と同様である。第２実施形態では、ＡＰＤフィルタ２３の光路上への挿脱に応じて、開放絞り口径（開放絞り値）が変更されるので、ＡＰＤフィルタ２３の有無によるボケ像の大きさの変化が軽減される。
【符号の説明】
【００５５】
１０  撮影装置
１１  第１レンズ鏡筒
１２  第２レンズ鏡筒
１１Ａ，１２Ａ  絞りリング
２３  アポダイゼーションフィルタ
３１  メカシャッタ
３２  撮像素子
４０  撮影装置
【図１】
0006334443.tif 000002
【図２】
0006334443.tif 000003
【図３】
0006334443.tif 000004
【図４】
0006334443.tif 000005
【図５】
0006334443.tif 000006
【図６】
0006334443.tif 000007
【図７】
0006334443.tif 000008
【図８】
0006334443.tif 000009